(57)【特許請求の範囲】
【請求項１】
支持体と、この支持体の表面に設けられた通水性を有する支持層と、この支持層から水を受け取って保持する保水層と、この保水層の水を裏面側から受け取って表面側の根張り領域に導く導水層と、この導水層の表面側を覆うとともに縫い合わせによる区画領域を有する表面層と、上記根張り領域に通じる、上記表面層に形成された切れ目部と、を備えており、上記支持層と保水層と導水層と表面層とが、上記縫い合わせの箇所に設けられた固定具によって、上記支持体に固定されていることを特徴とする緑化面形成部材。
【請求項２】
上記保水層は、吸水性ポリマーシートまたは吸水性繊維から成ることを特徴とする請求項１に記載の緑化面形成部材。
【請求項３】
上記支持層の上端部に水を供給する潅水管を有することを特徴とする請求項１または請求項２に記載の緑化面形成部材。
【請求項４】
上記表面層は支持シート及び乾燥防止シートを備えることを特徴とする請求項１〜請求項３のいずれか１項に記載の緑化面形成部材。
【請求項５】
上記支持体の下方に設けられた水受けと、この水受け内の水を上記支持層の上端部へと循環させる循環装置と、を備えたことを特徴とする請求項１〜請求項４のいずれか１項に記載の緑化面形成部材。
【請求項６】
パネル化された壁状部材である請求項１〜請求項５のいずれか１項に記載の緑化面形成部材。
【請求項７】
パーティションである請求項１〜請求項５のいずれか１項に記載の緑化面形成部材。
【請求項８】
吊り下げて配置するための吊り具を有する請求項１〜請求項５のいずれか１項に記載の緑化面形成部材。
【請求項９】
筒状に形成された請求項１〜請求項５のいずれか１項に記載の緑化面形成部材。
【発明の詳細な説明】
【技術分野】
【０００１】
この発明は、建物の壁の緑化などに利用することができる緑化面形成部材に関する。
【背景技術】
【０００２】
特許文献１には、緑化植物を植生可能なマットを複数箇所で表側に向けて凸状に膨出させ、緑化植物と共に土壌や保水材等を保持する複数のポケット部を形成し、これにより家屋・塀・仮囲い等の建造物の表面緑化を行う表面緑化用器材が開示されている。
【０００３】
また、特許文献２には、第１の保水シート材と、略水平方向に切れ目を設けた前記第１の保水シートと略同サイズの第２の保水シート材とを積層し、前記切れ目を中心に区画するように前記第１、第２の保水シート材を縫製して、前記切れ目ごとにポケットを区画し、前記ポケット内で植物を植栽する植物育成マットが開示されている。
【先行技術文献】
【特許文献】
【０００４】
【特許文献１】特開２００４−２６７０８４号公報
【特許文献２】特開２０１０−１１９３１７号公報
【発明の開示】
【発明が解決しようとする課題】
【０００５】
しかしながら、上記特許文献１に開示された表面緑化用器材では、既に存在する建物の壁等を基盤とし、現場において上記基盤にマットを防水層や保水層を介して適宜の固着手段を用いて取付けるようにしたものであるから、高い施工性は期待できない。また、上記特許文献２に開示されている植物育成マットは、第１の保水シートと略同サイズの第２の保水シート材とを積層したものに過ぎず、少しの風でも不安定な挙動を示すおそれがある。
【０００６】
この発明は、上記の事情に鑑み、工場での生産が可能で現地での据え付けが簡単迅速に行え、また風などを受けても不安定な挙動を生じにくい緑化面形成部材を提供することを課題とする。
【課題を解決するための手段】
【０００７】
この発明の緑化面形成部材は、上記の課題を解決するために、支持体と、この支持体の表面に固定された通水性を有する支持層と、この支持層から水を受け取って保持する保水層と、この保水層の水を裏面側から受け取って表面側の根張り領域に導く導水層と、この導水層の表面側を覆うとともに縫い合わせによる区画領域を有する表面層と、上記根張り領域に通じる、上記表面層に形成された切れ目部と、を備えたことを特徴とする。
【０００８】
上記の緑化面形成部材は、既に存在する建物の壁等を基盤とするものではなく、上記の支持体上に上記支持層などの層が設けられたものであるので、当該緑化面形成部材を工場において一定品質で生産し、現場等において簡単迅速に据え付けることができる。また、上記支持体に上記支持層が固定されるので、風などによる不安定な挙動は生じにくくなる。さらに、上記支持層と上記導水層の間に上記保水層を備える構造であるので、植物の支持をしっかりと行いながら上記植物への水供給を適切に行うことが可能になる。
【０００９】
上記保水層は、吸水性ポリマーシートまたは吸水性繊維から成っていてもよい。かかる構成であれば、上記保水層として一般的な繊維を用いる場合に比べ、充分な保水性を確保することができる。
【００１０】
上記支持層の上端部に水を供給する潅水管を有していてもよい。これによれば、上部側で乾燥し易く下部側で過湿になるのを解消し、水分条件を均一化することが容易になる。
【００１１】
上記表面層は支持シート及び乾燥防止シートを備えていてもよい。これによれば、上記支持シートによって上記根張り領域をしっかりと支持できるとともに、この支持シートが仮に吸水乾性を有するものであるとしても、上記乾燥防止シートによって上記根張り領域の乾燥を防止することができる。
【００１２】
上記支持体の下方に設けられた水受けと、この水受け内の水を上記支持層の上端部へと循環させる循環装置と、を備えていてもよい。かかる構成であれば、水の供給において無駄が生じるのを防止できる。
【００１３】
このような緑化面形成部材はパネル化された壁状部材であってもよい。また、このような緑化面形成部材はパーティションであってもよい。また、このような緑化面形成部材は吊り下げて配置するための吊り具を有するものであってもよい。また、このような緑化面形成部材は筒状に形成されたものであってもよい。
【発明の効果】
【００１４】
本発明であれば、工場での生産が可能で現地での据え付けが簡単迅速に行え、また、風などを受けても不安定な挙動は生じにくく、さらに、植物の支持をしっかりと行いながら上記植物への水供給が適切に行えるという効果を奏する。
【図面の簡単な説明】
【００１５】
【図１】本発明の一実施形態に係る緑化面形成部材を示した斜視図である。
【図２】支持層等を支持体に固定するのにステープルを用いた図１の部分拡大断面図である。
【図３】支持層等を支持体に固定するのに釘を用いた図１の部分拡大断面図である。
【図４】支持層等を支持体に固定するのに埋め込みボルト及びナットを用いた図１の部分拡大断面図である。
【図５】外壁パネルとして構成された緑化面形成部材を示した斜視図である。
【図６】鉄骨フレームに装着される壁状パネルとして構成された緑化面形成部材を示した斜視図である。
【図７】パーティションとして構成された緑化面形成部材を示した斜視図である。
【図８】水受けを有したパーティションとして構成された緑化面形成部材の部分拡大断面図である。
【図９】吊り下げオブジェとして構成された緑化面形成部材を示した斜視図である。
【図１０】円筒状オブジェとして構成された緑化面形成部材を示した斜視図である。
【発明を実施するための最良の形態】
【００１６】
次に、この発明の実施形態に係る緑化面形成部材を添付図面に基づいて具体的に説明する。なお、本発明に係る緑化面形成部材は、下記の実施形態に示したものに限定されず、その要旨を変更しない範囲において適宜変更して実施できるものである。
【００１７】
図１はこの発明の実施形態に係る緑化面形成部材１を示した斜視図であり、図２は植物２を植え込んだ状態の上記緑化面形成部材１の部分拡大断面図である。上記緑化面形成部材１は、支持体１１と、この支持体の表面に固定された通水性を有する支持層１２と、この支持層１２から水を受け取って保持する保水層１３と、この保水層１３の水を裏面側から受け取って表面側の根張り領域（土３が入れられる領域）に導く導水層１４と、この導水層１４の表面側を覆うとともに縫い合わせによる区画領域を有する表面層１５と、上記根張り領域に通じる、上記表面層１５に形成された切れ目部１６と、潅水管１７と、を備える。
【００１８】
上記支持体１１は、例えば、セメント板或いはプラスチック板などの剛体板から成る。勿論、この支持体１１は、水に起因した腐食の生じにくい素材で形成されるのが望ましく、また、仮に腐食を生じやすい素材であるとしても表面に防水加工等が施されたものでもよい。また、上記支持体１１は、例えば、１ｍ四方の大きさで形成されるが、このような寸法に限らず、人或いは機械により搬送できる程度の大きさ（重量）を有するものであればよい。
【００１９】
上記支持層１２は例えばマット或いは高密度フェルト等から成る。そして、当該緑化面形成部材１が外壁パネルとして利用され、その建物の高さが２０ｍであると想定する場合、上記支持層１２の引張強度は、例えば１２７５N/m2（１３０kgf/m2）以上に設定するようにしている。また、当該緑化面形成部材１がパーティション等の室内用として構成される場合も、植物や水分を含んで重量化した自層及び他の層を支えるのに必要な引張強度を有するものが上記支持層１２として採用される。上記支持層１２は通水性を有すればよいが、さらに導水性を有したものでもよい。すなわち、水を毛管現象により吸い上げる能力に優れた、例えばポリエチレン、ポリエステル等の樹脂や合成繊維等からなる不織布（ニードルパンチ不織布、スパンレース不織布等）、トリコット等、或いはこれらの組み合わせを利用することができる。
【００２０】
上記保水層１３は、水分を含んだときに体積が増大する素材である吸水性ポリマーシート、繊維素材であるランシール（登録商標）などから成る。なお、上記保水層１３は、吸水しても縦横寸法は変わらずに厚みのみ増大するものが望ましい。また、上記保水層１３は、上記導水層１４に水を渡す能力（離水性）に優れているのが望ましい。
【００２１】
上記導水層１４は、導水性を有するシートであり、水を毛管現象により吸い上げる能力に優れた、例えばポリエチレン、ポリエステル等の樹脂や合成繊維等からなる不織布（ニードルパンチ不織布、スパンレース不織布等）、トリコット等、或いはこれらの組み合わせを利用することができる。この導水層１４としては、例えば、バイレック揚水距離が１０分後で５ｃｍ以上、望ましくは１０ｃｍ以上となる素材を用いるのがよい。また、植物２や水分を含んで重量化した自層を支えるのに必要な引張強度を有するものを採用するのがよい。また、上記導水層１４は、植物２の根が入り込める密度を有するものでもよい。
【００２２】
上記表面層１５は、内側に配置された第１シート１５ａと外側に配置された第２シート１５ｂとから成る。上記第１シート１５ａは、上記第２シート１５ｂに比べて引張強度の高いものが用いられおり、上記根張り領域に根が収容される植物２を支える支持シートとして機能している。一方、上記第２シート１５ｂは、上記第１シート１５ａに比べて乾燥防止性（水分の蒸発抑止性）に優れたものが用いられており、乾燥防止シートとして機能している。また、上記第２シート１５ｂは、紫外線を遮蔽する性質を有するとともに温度、湿度、雨等に対する耐候性を有しているのがよい。勿論、上記表面層１５は２枚のシートから成るものに限らず、単一のシート或いは３枚以上のシートから成っていてもよい。
【００２３】
上記潅水管１７は、上記支持層１２の上端部に水を供給するものであり、図示しない留め金具などにより上記支持体１１に留め付けられている。上記潅水管１７には外表面に通じる貫通穴が形成されており、この貫通穴から滴り落ちる水が上記支持層１２の上端部に供給される。上記潅水管１７には図示しない貯水タンク等から水が供給される。
【００２４】
上記の支持層１２、保水層１３、導水層１４及び表面層１５は、タッカーにより打ち込まれたステープル１８によって上記支持体１１に固定されている。上記ステープル１８は縫い合わせ部分に打ち込んでいる。また、この縫い合わせは、上記の支持層１２、保水層１３、導水層１４及び表面層１５の積層体全体に対して行っている。なお、図２では、作図上、上記の支持層１２、保水層１３、導水層１４及び表面層１５の積層体が上記潅水管１７よりも大分と大きく描かれているが、実際の積層体は例えば上記潅水管１７の直径と同程度の厚みで形成することができる。
【００２５】
以上に説明した緑化面形成部材１は、既に存在する建物の壁等を基盤とするものではなく、上記の支持体１１上に上記支持層１２などの各層が設けられているので、当該緑化面形成部材１を工場において一定品質で生産し、現場等において簡単迅速に設置が行えるようになる。また、上記支持体１１に上記支持層１２等が固定された構造であるので、風などによる不安定な挙動は生じにくくなる。さらに、上記支持層１２と上記導水層１４の間に上記保水層１３を備える構造であるので、植物２の支持をしっかりと行いながら上記植物２への水供給を適切に行うことが可能になる。
【００２６】
また、上記保水層１３は、吸水性ポリマーシートまたは吸水性繊維から成っており、充分な保水性を確保することができる。
【００２７】
また、上記支持層１２の上端部に水を供給する潅水管１７が設けられているので、上部側で乾燥し易く下部側で過湿になるのを解消し、水分条件を均一化することが容易になる。
【００２８】
さらに、上記表面層１５は、支持シートとして機能する上記第１シート１５ａと乾燥防止シートとして機能する上記第２シート１５ｂとを有しているので、上記第１シート１５ａによって上記根張り領域（土３が入れられている領域）をしっかりと支持できるとともに、この第１シート１５ａが仮に吸水乾性を有するものであるとしても、上記第２シート１５ｂによって上記根張り領域の乾燥を防止することができる。
【００２９】
また、上記表面層１５等を縫い合わせて得られる区画領域及び上記の切れ目部１６により、上記根張り領域がポケット状をなすので、土３をあまり使わずに済むことになり、土こぼれの低減及び軽量薄型化を図ることができる。また、上記区画領域の大きさや形状の変更等が容易であり、様々な植物に対応することが可能である。
【００３０】
また、上記支持体１１上に上記支持層１２などを上記ステープル１８により固定したが、これに限らず、リベットや接着剤によって固定するようにしてもよい。また、図３及び図４に示すような固定構造を採用してもよい。
【００３１】
図３に示した緑化面形成部材１においては、上記縫い合わせの交差箇所にハトメ金具１９が装着されており、このハトメ金具１９の穴に釘２０を挿通させて上記支持体１１に打ち付けることでこの支持体１１上に上記支持層１２等からなる積層体を固定している。また、図４に示した緑化面形成部材１においては、上記支持体１１にボルト２１が埋め込まれている一方、上記縫い合わせの交差箇所にハトメ金具１９が装着されており、このハトメ金具１９の穴に挿通させた上記ボルト２１にナット２２を螺合することにより、上記支持体１１に上記支持層１２等からなる積層体を固定している。なお、上記図３及び図４の構成において、上記ハトメ金具１９を用いない構成とすることも可能である。
【００３２】
図５は緑化面形成部材１が外壁パネルとして構成された例を示している。この図５では緑化面形成部材１の周りに一般的な外壁パネル３０が配置された例を示しているが、緑化面形成部材１を連続的に配置することで建物の外壁を構成するようにしてもよい。隣り合う緑化面形成部材１或いは外壁パネル３０にはそれぞれ潅水管１７が設けられており、隣り合う潅水管１７はニップル３１などによって互いに接続される。なお、緑化面形成部材１を外壁パネルとして利用する場合には、上記支持体１１をＧＲＣ（Glass fiber Reinforced Cement）などの強化セメントで形成するのが望ましい。
【００３３】
図６は緑化面形成部材１が鉄骨フレーム３３に装着されるパネルとして構成された例を示している。上記鉄骨フレーム３３には上記緑化面形成部材１の他、化粧パネルや太陽電池パネルなども配置可能である。上記鉄骨フレーム３３はオフィスビル等の外壁や塀等として配置される。
【００３４】
図７は緑化面形成部材１がパーティションとして構成された例を示している。緑化面形成部材１の下部には脚部３５が設けられており、高さや傾斜の微調整が行えるようになっている。なお、図７に示した緑化面形成部材１においては片面にだけ植生が行われるようになっているが、支持体１１の両面に支持層１２等を固定して両面において植生が行われるようにしてもよい。また、倒れにくい構成を採用して屋外に配置するようにしてもよい。
【００３５】
図８は上記のパーティションとして構成された緑化面形成部材１に水循環機構を備えた例を示している。緑化面形成部材１における支持層１２の下方には水受け３６が設けられており、上記支持層１２に供給された水のうち過剰となる水が上記水受け３６に貯留される。上記水受け３６に貯留された水はモーター３７によって吸い上げられ、パイプ３８を通って上記潅水管１７へと循環される。かかる構成であれば、水の供給において無駄が生じるのを防止できる。また、上記水受け３６を水槽として魚類等の飼育環境を形成すると、上記魚類等から出される窒素などを植物２が吸収して水槽内の水の浄化を行うことが可能になる。なお、上記の水循環機構はパーティションに限らず外壁パネル等においても利用することができる。
【００３６】
図９は緑化面形成部材１が吊り下げオブジェとして用いられる例を示している。緑化面形成部材１の支持体１１の上端には、緑化面形成部材１を吊り下げて配置するための吊り具３９が設けられている。緑化面形成部材１は上記吊り具３９にロープ４０が通されて例えば天井から吊り下げられる。また、上記吊り具３９を有する緑化面形成部材１の下に別の緑化面形成部材１を連結し、例えばホテルのロビーの天井から吊り下げられるオブジェとすることができる。
【００３７】
図１０は緑化面形成部材１が円筒形状のオブジェとして用いられる例を示している。この緑化面形成部材１は円筒形状の支持体１１に支持層１２等の積層体を巻いて固定したものである。勿論、円筒に限らず四角筒あるいは三角筒形状等としてもよい。また、このような筒状のオブジェを積み上げて用いることも可能である。
【符号の説明】
【００３８】
１      緑化面形成部材
２      植物
３      土
１１    支持体
１２    支持層
１３    保水層
１４    導水層
１５    表面層
１５ａ  第１シート（支持シート）
１５ｂ  第２シート（乾燥防止シート）
１６    切れ目部
１７    潅水管
１８    ステープル
１９    ハトメ金具
２０    釘
２１    ボルト
２２    ナット
３０    外壁パネル
３３    鉄骨フレーム
３６    水受け
３９    吊り具
【図１】
0005922910.tif 000002
【図２】
0005922910.tif 000003
【図３】
0005922910.tif 000004
【図４】
0005922910.tif 000005
【図５】
0005922910.tif 000006
【図６】
0005922910.tif 000007
【図７】
0005922910.tif 000008
【図８】
0005922910.tif 000009
【図９】
0005922910.tif 000010
【図１０】
0005922910.tif 000011